(57)【要約】【課題】音響を用いてスマートフォンなどのユーザが使用する携帯端末装置に各種情報を表示することのできる情報提供システムを提供する。【解決手段】音響信号に変調された識別情報を音声として放音する放音装置と、振り分けサーバにアクセスするための第１アドレス情報を割り出す識別情報解決サーバと、第１アドレス情報および前記識別情報に基づいて第２アドレス情報を割り出す振り分けサーバと、収音した音声から識別情報を復調する復調部、および、復調された識別情報を識別情報解決サーバに送信して第１アドレス情報を取得し、取得した第１アドレス情報を用いて振り分けサーバにアクセスし識別情報を送信して第２アドレス情報を取得し、取得した第２アドレス情報を用いて所定のコンテンツにアクセスする制御部を備えた携帯端末装置とを有する。【選択図】図１
2012227909.tif 000002
【特許請求の範囲】
【請求項１】
音響信号に変調された識別情報を音声として放音する放音装置と、
情報通信ネットワークと、
前記情報通信ネットワークに接続され、前記識別情報に基づいて、前記情報通信ネットワークに接続された振り分けサーバにアクセスするための第１アドレス情報を割り出す識別情報解決サーバと、
前記情報通信ネットワークに接続され、前記第１アドレス情報によって特定され、前記識別情報に基づいて、所定のコンテンツにアクセスするための第２アドレス情報を割り出す振り分けサーバと、
前記放音装置が放音した音声を収音する収音部、収音した音声から前記識別情報を復調する復調部、前記情報通信ネットワークを介した通信を行うネットワーク通信部、および、復調された識別情報を前記識別情報解決サーバに送信して前記第１アドレス情報を取得し、取得した第１アドレス情報を用いて前記振り分けサーバにアクセスし前記識別情報を送信して前記第２アドレス情報を取得し、取得した第２アドレス情報を用いて前記所定のコンテンツにアクセスする制御部を備えた携帯端末装置と、
を有する情報提供システム。
【請求項２】
前記識別情報解決サーバは、複数の識別情報に対して１つの第1アドレス情報を対応づけ、該１つの第1アドレス情報でアクセスされる振り分けサーバは、前記複数の識別情報に対してそれぞれ異なる第２アドレス情報を対応づける請求項１に記載の情報提供システム。
【請求項３】
前記振り分けサーバと、該振り分けサーバが割り出す第２アドレス情報でアクセスされるサーバとは同一のサーバである請求項１または請求項２に記載の情報提供サービス。
【請求項４】
前記放音装置は放送受信装置であり、
前記放音装置が放音する音声は、放送の番組または宣伝広告の音声として放送局から送信されてくる音声を含み、
前記振り分けサーバは、受信した識別情報に基づき、前記番組または前記宣伝広告に関するコンテンツにアクセスするための第２アドレス情報を割り出すものである
請求項１乃至請求項３のいずれかに記載の情報提供システム。
【請求項５】
前記放音装置は、施設の内部、外部または近傍に設置されるスピーカを有し、
前記振り分けサーバは、受信した識別情報に基づき、前記施設に関するコンテンツにアクセスするための第２アドレス情報を割り出すものである
請求項１乃至請求項３のいずれかに記載の情報提供システム。
【請求項６】
前記振り分けサーバは、前記識別情報とともに前記携帯端末装置から送信される位置情報に基づいて前記第２アドレス情報を割り出すサーバであり、
前記携帯端末装置は、自己の位置に関する情報である位置情報を取得する位置取得部をさらに備え、
前記携帯端末装置の制御部は、前記識別情報および前記位置取得部によって取得された位置情報を前記振り分けサーバに送信して前記第２アドレス情報を取得する
請求項１乃至請求項５のいずれかに記載の情報提供システム。
【請求項７】
前記振り分けサーバは、前記識別情報とともに時刻の情報に基づいて前記第２アドレス情報を割り出すサーバであり、
前記携帯端末装置は、前記音声を収音した時刻または前記識別情報を前記振り分けサーバに送信する時刻を計測する時計をさらに備え、
前記携帯端末装置の制御部は、前記識別情報および前記時計によって計測された時刻の情報を前記振り分けサーバに送信して前記第２アドレス情報を取得する
請求項１乃至請求項５のいずれかに記載の情報提供システム。
【請求項８】
音響信号に変調された識別情報を含む音声を収音する収音部と、
収音した音声から識別情報を復調する復調部と、
情報通信ネットワークを介した通信を行うネットワーク通信部と、
復調された識別情報を識別情報解決サーバに送信して第１アドレス情報を取得し、取得した第１アドレス情報を用いて振り分けサーバにアクセスし、この振り分けサーバに前記識別情報を送信して第２アドレス情報を取得し、取得した第２アドレス情報を用いて所定のコンテンツにアクセスする制御部と、
を備えた携帯端末装置。
【請求項９】
収音した音声から識別情報を復調する携帯端末装置と情報通信ネットワークを介して通信し、前記携帯端末装置から前記識別情報を受信する受信部と、
受信された識別情報に基づいて、前記情報通信ネットワークに接続された振り分けサーバにアクセスするための第１アドレス情報を割り出す識別情報解決部と、
を備えた識別情報解決サーバ。
【請求項１０】
収音した音声から識別情報を復調する携帯端末装置と情報通信ネットワークを介して通信し、前記携帯端末装置から前記識別情報を受信する受信部と、
受信された識別情報に基づいて、前記情報通信ネットワークに接続され、所定のコンテンツを有するコンテンツサーバにアクセスするための第２アドレス情報を割り出すコンテンツ振り分け部と、
を備えた振り分けサーバ。
【請求項１１】
コンピュータを、
収音した音声から復調された識別情報を識別情報解決サーバに送信して前記第１アドレス情報を取得する手段、
取得した第１アドレス情報を用いて振り分けサーバにアクセスし前記識別情報を送信して第２アドレス情報を取得する手段、
取得した第２アドレス情報を用いて所定のコンテンツにアクセスする手段、
として機能させるプログラム。
【発明の詳細な説明】
【技術分野】
【０００１】
この発明は、音響を用いて各種の情報を提供する情報提供システム、および、このシステムに用いられる携帯端末装置、識別情報解決サーバ、振り分けサーバ、プログラムに関する。
【背景技術】
【０００２】
音声とともに情報を提供するシステムとしては、たとえばテレビ放送において、映像・音声の放送にデータ放送を重畳し、テレビのリモコン操作によって各種の情報を提供するものが実用化されている。
【先行技術文献】
【特許文献】
【０００３】
【特許文献１】特開２００８−２８８６３８号公報
【発明の概要】
【発明が解決しようとする課題】
【０００４】
しかし、データ放送は、テレビ画面に表示されるのみのものであり、ユーザが持ち運んで、たとえばクーポンのように活用することができないものであった。また、データ放送は、ユーザが情報を獲得するツールとして日常使い慣れている携帯電話、スマートフォンに転送することができないものであった。
【０００５】
この発明は、音響を用いて、スマートフォンなどのユーザが使用する携帯端末装置に各種情報を表示することのできる情報提供システム、および、このシステムに用いられる携帯端末装置、識別情報解決サーバ、振り分けサーバ、プログラムを提供することを目的とする。
【課題を解決するための手段】
【０００６】
請求項１の発明である情報提供システムは、音響信号に変調された識別情報を音声として放音する放音装置と、情報通信ネットワークと、前記情報通信ネットワークに接続され、前記識別情報に基づいて、前記情報通信ネットワークに接続された振り分けサーバにアクセスするための第１アドレス情報を割り出す識別情報解決サーバと、前記情報通信ネットワークに接続され、前記第１アドレス情報によって特定され、前記識別情報に基づいて、所定のコンテンツにアクセスするための第２アドレス情報を割り出す振り分けサーバと、
前記放音装置が放音した音声を収音する収音部、収音した音声から前記識別情報を復調する復調部、前記情報通信ネットワークを介した通信を行うネットワーク通信部、および、復調された識別情報を前記識別情報解決サーバに送信して前記第１アドレス情報を取得し、取得した第１アドレス情報を用いて前記振り分けサーバにアクセスし前記識別情報を送信して前記第２アドレス情報を取得し、取得した第２アドレス情報を用いて前記所定のコンテンツにアクセスする制御部を備えた携帯端末装置と、
を有することを特徴とする。
【０００７】
請求項２の発明は、請求項１の発明において、前記識別情報解決サーバは、複数の識別情報に対して１つの第1アドレス情報を対応づけ、該１つの第1アドレス情報でアクセスされる振り分けサーバは、前記複数の識別情報に対してそれぞれ異なる第２アドレス情報を対応づけることを特徴とする。
【０００８】
請求項３の発明は、請求項１、２の発明において、前記振り分けサーバと、該振り分けサーバが割り出す第２アドレス情報でアクセスされるサーバ（前記所定のコンテンツを提供するコンテンツサーバ）とは同一のサーバであることを特徴とする。
【０００９】
請求項４の発明は、請求項１〜３の発明において、前記放音装置は放送受信装置であり、前記放音装置が放音する音声は、放送の番組または宣伝広告の音声として放送局から送信されてくる音声を含み、前記振り分けサーバは、受信した識別情報に基づき、前記番組または前記宣伝広告に関するコンテンツにアクセスするための第２アドレス情報を割り出すものであることを特徴とする。
【００１０】
請求項５の発明は、請求項１〜３の発明において、前記放音装置は、施設の内部、外部または近傍に設置されるスピーカを有し、前記振り分けサーバは、受信した識別情報に基づき、前記施設に関するコンテンツにアクセスするための第２アドレス情報を割り出すものであることを特徴とする。
【００１１】
請求項６の発明は、請求項１〜５の発明において、前記振り分けサーバは、前記識別情報とともに前記携帯端末装置から送信される位置情報に基づいて前記第２アドレス情報を割り出すサーバであり、前記携帯端末装置は、自己の位置に関する情報である位置情報を取得する位置取得部をさらに備え、前記携帯端末装置の制御部は、前記識別情報および前記位置取得部によって取得された位置情報を前記振り分けサーバに送信して前記第２アドレス情報を取得することを特徴とする。
【００１２】
請求項７の発明は、請求項１〜５の発明において、前記振り分けサーバは、前記識別情報とともに時刻の情報に基づいて前記第２アドレス情報を割り出すサーバであり、前記携帯端末装置は、前記音声を収音した時刻または前記識別情報を前記振り分けサーバに送信する時刻を計測する時計をさらに備え、前記携帯端末装置の制御部は、前記識別情報および前記時計によって計測された時刻の情報を前記振り分けサーバに送信して前記第２アドレス情報を取得することを特徴とする。
【００１３】
請求項８の発明である携帯端末装置は、音響信号に変調された識別情報を含む音声を収音する収音部と、収音した音声から識別情報を復調する復調部と、情報通信ネットワークを介した通信を行うネットワーク通信部と、復調された識別情報を識別情報解決サーバに送信して第１アドレス情報を取得し、取得した第１アドレス情報を用いて振り分けサーバにアクセスし、この振り分けサーバに前記識別情報を送信して第２アドレス情報を取得し、取得した第２アドレス情報を用いて所定のコンテンツにアクセスする制御部と、を備えたことを特徴とする。
【００１４】
請求項９の発明である識別情報解決サーバは、収音した音波から識別情報を復調する携帯端末装置と情報通信ネットワークを介して通信し、前記携帯端末装置から前記識別情報を受信する受信部と、受信された識別情報に基づいて、前記情報通信ネットワークに接続された振り分けサーバにアクセスするための第１アドレス情報を割り出す識別情報解決部と、を備えたことを特徴とする。
【００１５】
請求項１０の発明である振り分けサーバは、収音した音波から識別情報を復調する携帯端末装置と情報通信ネットワークを介して通信し、前記携帯端末装置から前記識別情報を受信する受信部と、受信された識別情報に基づいて、前記情報通信ネットワークに接続され、所定のコンテンツを有するコンテンツサーバにアクセスするための第２アドレス情報を割り出すコンテンツ振り分け部と、を備えたことを特徴とする。
【００１６】
請求項１１の発明であるプログラムは、コンピュータを、収音した音声から復調された識別情報を識別情報解決サーバに送信して第１アドレス情報を取得する手段、取得した第１アドレス情報を用いて振り分けサーバにアクセスし前記識別情報を送信して第２アドレス情報を取得する手段、取得した第２アドレス情報を用いて所定のコンテンツにアクセスする手段、として機能させることを特徴とする。
【発明の効果】
【００１７】
この発明によれば、音響に識別情報を重畳することによって、ユーザの携帯端末装置を所定のコンテンツにアクセスさせることができ、音響を用いたプッシュ型の情報提供が可能になる。
【図面の簡単な説明】
【００１８】
【図１】この発明の実施形態である情報提供システムのブロック図
【図２】情報提供システムの他の形態を示すブロック図
【図３】音響ＩＤの重畳方式の例を示す図
【図４】ＩＤ解決サーバのＩＤ／ＵＲＬ対応テーブルおよびコンテンツサーバのＩＤ／コンテンツ対応テーブルの例を示す図
【図５】情報提供システムのテレビＣＭへの適用例を示す図
【図６】スマートフォンの一部ブロック図
【図７】スマートフォンの動作を示すフローチャート
【図８】ＩＤ／コンテンツ対応テーブルの他の例を示す図
【図９】情報提供システムを店舗に適用した場合のスピーカの配置例を示す図
【図１０】放音装置の構成例を示す図
【発明を実施するための形態】
【００１９】
図面を参照してこの発明の実施形態である情報提供システムについて説明する。図１は、情報提供システムの構成を説明する図である。
【００２０】
この情報提供システムは、本発明の放音装置であるテレビ（ＴＶ）１が、本発明の識別情報である音響ＩＤが重畳された音声を放音し、本発明の携帯端末装置であるスマートフォン２がこの音響ＩＤを用いて特定のインターネットサイト（ＵＲＬ）にアクセスして情報を獲得するというシステムである。
【００２１】
テレビ１は、テレビ放送を受信して映像を表示するとともに音声を放音する。このテレビ放送の音声に音響信号に変調されたＩＤコードである音響ＩＤが重畳されている。音響ＩＤの内容および重畳方式については後述する。音響ＩＤが重畳された音声をスマートフォン２が収音する。スマートフォン２はユーザ６が所持している。スマートフォン２には、情報提供システムに用いられる音響ＩＤアプリケーションプログラムがインストールされている。音響ＩＤアプリケーションプログラムは、収音した音声から音響ＩＤを分離してＩＤコードに復調し、このＩＤコードをＩＤ解決サーバ４に送信してコンテンツサーバ５のＵＲＬに変換するアプリケーションプログラムであり、携帯端末装置２の制御部２２と協働することにより音響ＩＤ処理部２３を構成する。この音響ＩＤ処理部２３の詳細動作は図５のフローチャートで説明する。スマートフォン２は、この音響ＩＤアプリケーション２００により、音声に含まれる音響ＩＤを復調し、これを情報通信ネットワーク３を介してＩＤ解決サーバ４に送信する。ＩＤ解決サーバ４は、ＩＤ／ＵＲＬ対応テーブル４０を備えており、受信した音響ＩＤを用いて、ＩＤ／ＵＲＬ対応テーブル４０を検索して対応するポータルＵＲＬ（本発明の第１アドレス情報）を読み出してスマートフォン２に返信する。ポータルＵＲＬはコンテンツサーバ５に存在するが、ウェブサービスのＵＲＬではなく、アクセス振り分け処理リソースのＵＲＬ（ｔｅｌｎｅｔなど）である。
【００２２】
スマートフォン２は、このポータルＵＲＬにアクセスして再度ＩＤを送信することにより、目的のコンテンツに到達するＵＲＬ（本発明の第２アドレス情報）を獲得する。スマートフォン２は、このＵＲＬにアクセスすることによって目的のコンテンツを取得する。このようにＩＤ解決サーバ４に加えて、コンテンツサーバ５のポータルＵＲＬにおいてＩＤに基づくＵＲＬの振り分けを再度行うことにより、コンテンツサーバ５による細分化されたコンテンツの提供が可能になる。
【００２３】
なお、ＩＤ解決サーバ４は１つであることが望ましいが、コンテンツサーバ５はコンテンツを表示する各社ごとに別々であって構わない。また、図２に示すように、ポータルＵＲＬのサーバであるポータルサーバ７をコンテンツサーバ５と分けて別のサーバとしてもよい。ポータルサーバ７は、アクセス振り分け処理リソースを提供するサーバであり、本発明の振り分けサーバに対応する。
【００２４】
ここで、音響ＩＤは、テレビ１のスピーカで再生される帯域の音声のうち高音域の周波数帯域に重畳される。図３に示すようにテレビ放送の番組やＣＭに使用される音声の上限周波数は１６ｋＨｚ程度である。音響ＩＤは、この周波数以上でテレビ１のオーディオ回路やスピーカが動作する周波数帯域である１８〜２０ｋＨｚの帯域に重畳される。
【００２５】
番組やＣＭの音声に音響ＩＤを重畳する方式は種々の方式を採用可能であるが、たとえば、本出願人による国際特許出願（国際公開第２０１０／０１６５８９号パンフレット）に詳細に説明されているような、ＩＤを拡散符号で拡散して１８〜２０ｋＨｚの周波数帯域まで周波数シフトする技術が好適である。
【００２６】
テレビ放送において、この情報提供システムは、たとえば以下のような用途で使用される。ＣＭの企業・商品や番組に関連した商品等のクーポンを配ったり、商品情報を掲載するページへユーザを誘導したりする。ここで、番組に関連した商品とは、たとえば、番組に登場した人物が着用している服装のブランド、番組で訪れている観光地や店舗（レストランやホテルなど）などである。
【００２７】
また、この情報提供システムは、スポーツ番組の放送中に、登場選手の情報を詳細に表示するページへ誘導する。さらにまた、この情報提供システムは、ＴＶショッピング番組の放送中に、紹介された商品の注文・決済を行うページへ誘導する。あるいは、番組や商品のアンケートやクイズに応募するページへ誘導する。
【００２８】
このように、テレビ放送の音声には、番組やＣＭの内容に連携して提供されるコンテンツなどのサービス内容に対応した音響ＩＤが適宜重畳されている。この音響ＩＤが、以下に説明するように、所定のサービス内容を提供するＵＥＬに解決される。これにより、ユーザが、スマートフォン２を携帯してテレビ放送を視聴していれば、ユーザが何らの操作をしなくてもユーザに特定のウェブページを表示するプッシュ型のサービスを提供することが可能になる。
【００２９】
このように短いＩＤコードにコンテンツサーバのＵＲＬを対応づけることにより、送信レートの高くない音響によるデータ送信であっても、長いＵＲＬにユーザのスマートフォン２を導くことが可能になる。また、短いＩＤコードを繰り返して送信することにより、ノイズが発生して復調不可能であっても、ノイズが低減した後にＩＤコードを受信してコンテンツを表示することが可能になり、ユーザを確実にウェブページへ誘導することができる。
【００３０】
音響ＩＤを上記のようなＵＲＬに解決するために、ＩＤ解決サーバ４には図４（Ａ）に示すようなＩＤ／ＵＲＬ対応テーブル４０が設けられ、コンテンツサーバ５のポータルＵＲＬには、図４（Ｂ）に示すようなＩＤ／コンテンツ対応テーブル５０が設けられる。
【００３１】
図４（Ａ）において、ＩＤ／ＵＲＬ対応テーブル４０には、複数のＩＤとそのＩＤに対応するコンテンツサーバ５のポータルＵＲＬとが対応づけて記憶されている。図４（Ｂ）は、図４（Ａ）のテーブルで「サーバ１」と記されているコンテンツサーバ５に設けられるＩＤ／コンテンツ対応テーブル５０を示している。このＩＤ／コンテンツ対応テーブル５０には、ＩＤコード、番組名（ＣＭ商品名）および提供するコンテンツ（クーポン、情報、スタンプラリーなど）のＵＲＬが対応づけて記憶されている。
【００３２】
図５は、本情報提供システムをテレビＣＭに連動させた例を示す図である。放送局が、図５（Ａ）、（Ｂ）に示す画像、および、音響ＩＤが重畳されたＣＭ音声を含むテレビＣＭを放送する。テレビ１がこのテレビＣＭを受信すると、画面に図５（Ａ）、（Ｂ）に示すような画像を表示するとともに、スピーカから音響ＩＤが重畳されたＣＭ音声（音波）６３を放音する。音響ＩＤは、ＣＭで宣伝広告されている商品を紹介するＵＲＬ（コンテンツＵＲＬ）に視聴者を誘導するものである。また、図５（Ａ）はＣＭの前半に表示される画像であり、図５（Ｂ）はＣＭの後半に表示される画像である。
【００３３】
ＣＭの前半に、図５（Ａ）に示すように、音響ＩＤアプリケーションプログラム（音響ＩＤアプリ）２００の起動を促す文言６０が画面に表示される。ユーザ６は、必要に応じて携帯端末装置２を操作して音響ＩＤアプリケーションプログラム２００を起動する。既に起動している場合、自動的に起動する場合にはユーザ６の操作は不要である。この画面表示に並行して、スピーカから音響ＩＤが重畳されたＣＭ音声６３が放音される。音響ＩＤアプリケーションプログラム２００が起動された（音響ＩＤ処理部２３が構成された）携帯端末装置２は、放音された音響ＩＤを収音し、これをＩＤコードに復調して上に説明したアクセスを開始する。ＣＭの後半には、図５（Ｂ）に示すように、検索ワードとともにインターネットで検索を促す画像６２が表示されるが、上述したように、音響ＩＤアプリケーションプログラム２００が起動された携帯端末装置２は、ユーザ６が検索ワードを入力しなくてもコンテンツＵＲＬへ到達するため、画面には「音響ＩＤアプリが自動的に検索しています」の文言６１が表示される。
【００３４】
なお、インターネットの検索サイトに検索ワードを入力して検索されるＵＲＬと、ＩＤ／コンテンツ対応テーブル５０で検索されるコンテンツＵＲＬは、同一であっても異なっていてもよい。音響ＩＤによって誘導されるサイト（コンテンツＵＲＬ）は、検索サイトで検索されない特別なサイトとしてもよい。
【００３５】
図５は、テレビＣＭに同期してＩＤコードを出力し、携帯端末装置２がこのＩＤコードを受信して、コンテンツＵＲＬに自動アクセスするシステムであるが、テレビＣＭに同期して出力されるＩＤコードは、スピーカから放音される音波に重畳する方式（音響ＩＤ）以外の方式で送信することも可能である。たとえば、テレビ１がＢｌｕｅｔｏｏｔｈ（登録商標）、Ｗｉ−Ｆｉ、赤外線などの送信機能を有する場合は、これらの機能を用いてＩＤコードを送信してもよい。この場合、携帯端末装置２には、テレビ１の送信方式に応じて、Ｂｌｕｅｔｏｏｔｈ（登録商標）、Ｗｉ−Ｆｉまたは赤外線などによってＩＤコードを受信するアプリケーションプログラムがインストールされる。
【００３６】
図６はスマートフォン２の本願発明に関係する部分のみを取り出した機能ブロック図である。スマートフォン２は、マイクロフォン２１、制御部２２、ネットワーク通信部２５、ＧＰＳ測位部２６、時計２７、操作部２８、表示部２９を備えている。マイクロフォン２１は、テレビ１のスピーカから放音された音響を収音する。ネットワーク通信部２５は、情報通信ネットワーク３を介してＩＤ解決サーバ４やコンテンツサーバ５と通信する機能部である。
【００３７】
制御部２２には、アプリケーションプログラムとの協働により音響ＩＤ処理部２３およびウェブブラウザ２４が設けられている。音響ＩＤ処理部２３は、収音して得られた音声信号を、拡散変調に用いられた拡散符号を係数とする整合フィルタに通すことによってＩＤコードを復調する処理部、ネットワーク通信部２５を制御してＩＤ解決サーバ４およびコンテンツサーバ５と通信する処理部などからなっている。このＩＤコードの復調処理は、国際公開第２０１０／０１６５８９号パンフレットに詳細に説明されている。ウェブブラウザ２４は、音響ＩＤ処理部２３が取得したＵＲＬにアクセスしてウェブページを表示する。
【００３８】
ＧＰＳ測位部２６は、ＧＰＳを用いて自己の位置を測定し、位置情報としてＵＲＬ取得部２４に入力する。また、時計２７は、音響ＩＤを含んだ音声の収音時、または、ＩＤ解決サーバ４との通信時の時刻を計測して時刻情報としてＵＲＬ取得部２４に入力する。これらＧＰＳ測位部２６および時計２７は、後述の変形例において用いられる。また、操作部２８はたとえば表示部２９の表面に設けられたタッチパネルであり、情報通信ネットワーク３との通信の許可などのユーザ６の操作を検出する。
【００３９】
図７は、スマートフォン２の制御部２２の動作を示すフローチャートである。この処理では、マイクロフォン２１が収音した音波から変換された音声信号から音響ＩＤを検出する処理を所定の時間間隔で繰返し行う（ステップＳ１）。音響ＩＤを検出しない間（ステップＳ１でＮＯ）は、ステップＳ１で待機している。音響ＩＤを検出すると（ステップＳ１でＹＥＳ）、これをＩＤコードに復調し（ステップＳ２）、復調されたＩＤコードをＩＤ解決サーバ４に送信する（ステップＳ３）。ＩＤ解決サーバ４は受信したＩＤコードに対応するコンテンツサーバ５のポータルＵＲＬを読み出し、これをスマートフォン２に返信する。スマートフォン２はこのポータルＵＲＬをステップＳ４で受信すると、受信したポータルＵＲＬにアクセスして再度ＩＤを送信する（ステップＳ５）。コンテンツサーバ５は、受信したＩＤコードに応じたコンテンツ（クーポン、情報など）のＵＲＬを送信する。これにより、スマートフォン２は、送信したＩＤコードに対応するＵＲＬを受信する（ステップＳ６）。そして、受信したＵＲＬのコンテンツタイプに応じて処理を実行する（ステップＳ７）。例えば、コンテンツタイプがクーポンの場合は、このＵＲＬにアクセスしてクーポン画像を表示する（ステップＳ１０）。クーポン画像はウェブページではなく画像データとしてサーバに保存されており、音響ＩＤ処理部２３は、ｆｔｐやｔｅｌｎｅｔでこの画像データをダウンロードしてディスプレイに表示する。この方式を採用することで、有価証券的な性質を持つクーポンのセキュリティを、ウェブページに登録する場合に比べて高く維持することができる。
【００４０】
また、コンテンツタイプが情報の場合は、スマートフォン２の標準アプリケーションであるウェブブラウザ２４を起動し（ステップＳ８）、受信したＵＲＬをウェブブラウザ２４に渡して（ステップＳ９）、このＵＲＬにアクセスしてウェブページを表示させる（ステップＳ２０）。
【００４１】
また、コンテンツタイプがスタンプラリーの場合は、スタンプラリーの台紙を既にダウンロードしているかを判断し（ステップＳ１１）、既にダウンロードして保存している場合には（ステップＳ１１でＹＥＳ）、その保存台紙をロードし（ステップＳ１２）、まだダウンロードしていない場合には（ステップＳ１１でＮＯ）、コンテンツサーバ５から台紙をダウンロードする（ステップＳ１３）。そして、今回のコンテンツであるスタンプ画像をダウンロードし（ステップＳ１４）、先にロードしている台紙にこのスタンプ画像を合成して（ステップＳ１５）、合成画像を台紙として保存するとともにこれを表示部２９に表示する（ステップＳ１６）。
ステップＳ９、ステップＳ１０、ステップＳ１６の処理ののち動作はステップＳ１にもどる。以上の動作により、ユーザ６は、クーポン、各種の情報、スタンプなどを獲得することができる。なお、ステップＳ６で受け取ったＵＲＬのコンテンツタイプは、そのＵＲＬに付加して送られてくるコンテンツの識別情報で判断することができるが、ＵＲＬのスキームに基づいて判断することも可能である。すなわち、ＵＲＬのスキームがｆｔｐやｔｅｌｎｅｔであればクーポンであり、ＵＲＬがｈｔｔｐであれば情報であるなどである。
【００４２】
図７のフローチャートは、音響ＩＤを検出すると自動的に所定のＵＲＬにアクセスしてウェブページを表示する手順になっているが、ユーザ６の許可を求めて、ユーザ６によるアクセス許可の操作があったときコンテンツサーバ５にアクセスするようにしてもよい。この場合、ステップＳ３の前、ステップＳ５の前の一方または両方でユーザ６の許可を求めるようにすればよい。
【００４３】
また、コンテンツサーバ５において、１つのＩＤを複数のコンテンツに対応させる場合、図８（Ａ）、（Ｂ）に示すようなテーブルをＩＤ／コンテンツ対応テーブル５０としてコンテンツサーバ５に持てば良い。
【００４４】
図８は、1つの音響ＩＤを複数のコンテンツに対応させる場合のＩＤ／コンテンツ対応テーブル５０の例を示す図である。同図（Ａ）は、１つのＩＤ「００００」を位置情報に基づいて４つの地域別コンテンツ（ＵＲＬ）に振り分けるＩＤ／コンテンツ対応テーブル５０の例を示している。位置情報は、スマートフォン２から音響ＩＤとともにコンテンツサーバ５に送られてくる。スマートフォン２はＧＰＳ測位部２６により自己の位置を正確に測定することができる。コンテンツサーバ５は、スマートフォン２から受信した位置情報に基づき、そのスマートフォン２がどの地域に位置しているかを割り出し、その地域に応じたコンテンツのＵＲＬを送信する。
【００４５】
なお、位置情報の取得は、ＧＰＳ測位部２６による測位以外で取得することも可能である。たとえば、スマートフォン２が情報通信ネットワーク３にアクセスしたアクセスポイントの位置をコンテンツサーバ５が取得して位置情報として用いることも可能である。
【００４６】
また、図８（Ｂ）は、１つのＩＤ「００００」を時刻情報に基づいて４つの時間帯別コンテンツ（ＵＲＬ）に振り分けるＩＤ／コンテンツ対応テーブル５０の例を示している。コンテンツサーバ５は、スマートフォン２からＩＤを受信したとき、時刻情報がどの時間帯に属しているかを割り出し、その時間帯に応じたコンテンツのＵＲＬを送信する。この実施形態では、スタンプラリーの例を示しており、８時間の長時間番組の合間に音響ＩＤを放送してそのとき番組を視聴していたユーザ６にスタンプを付与するシステムを提供している。なお、このスタンプラリーのシステムは、上記地域別コンテンツにも適用することが可能である。
【００４７】
なお、時刻情報は、スマートフォン２からコンテンツサーバ５に対して送ってもよく、コンテンツサーバ５がスマートフォン２からのアクセスを受け付けた時刻を時刻情報として用いてもよい。スマートフォン２からコンテンツサーバ５に時刻情報を送信する場合、その送信時刻を時刻情報としてもよく、テレビ１（放音装置）から音響ＩＤを受信した時刻を時刻情報としてもよい。
【００４８】
以上はテレビ１の音声に音響ＩＤを重畳させる例について説明したが、放音装置はテレビ１に限定されない。たとえば、ラジオ受信機であってもよい。また、小売店舗等の施設に設置されたスピーカを利用してもよい。施設としては、店舗等の商業施設に限らず、公共施設、民間施設、集合住宅、事務所施設等の各種施設に適用が可能である。
【００４９】
たとえば、小売店舗の店頭（店舗近傍）または店内に設置されたスピーカから放音される呼び込み音声や音楽（ＢＧＭ）に音響ＩＤを重畳し、店舗近傍を通り掛かる顧客や店舗に入店した顧客に、クーポンや情報を提供したり、スタンプラリーのスタンプを提供するなどのサービスに適用することが可能である。要するに、サービスの提供に対応して音を放音する装置であればよい。この場合において、音響は、一般に電波と異なり到達距離が短いため、音響ＩＤは、スピーカ１６を設置した店舗の近傍のみで受信される。これにより、店舗の前を通り掛かった顧客や入店した顧客等の比較的狭い目視可能な領域の対象者に限定して、クーポンや情報を提供することができる。
【００５０】
この場合、放音装置のスピーカ１６は、たとえば、図９（Ａ）〜（Ｃ）に示すような形態で、店舗近傍または店内に設置すればよい。図９（Ａ）は、通路または店舗の天井にスピーカ１６を設置する形態である。図９（Ｂ）は、通路または店舗の壁面にスピーカ１６を設置する形態である。また、図９（Ｃ）は、スピーカ１６が埋め込まれた掲示板９を店舗の前に設置する形態である。ただし、スピーカ１６の設置形態はこれに限定されない。
【００５１】
図９のスピーカ１６を備えた放音装置８は、図１０に示すような構成である。放音装置８は、ＩＤコードメモリ１１、変調部１２、呼び込み音声再生部１３、合成部１４、増幅器１５および上記スピーカ１６を備えている。ＩＤコードメモリ１１には所定のコンテンツ（ＵＲＬやクーポン）に対応づけられる音響ＩＤが記憶されている。変調部１２は、ＩＤコードを空気などの媒質の振動である音波として放音可能な周波数帯域の信号に変調する処理部である。変調部１２の変調方式は種々の方式を用いることが可能であるが、この実施形態では、ノイズ耐性を向上させるために、ＩＤコードで拡散符号を位相変調し、この位相変調された拡散符号を非可聴帯域まで周波数シフトして放音するようにしている。この技術は、本出願人による国際特許出願（国際公開第２０１０／０１６５８９号パンフレット）に詳細に説明されている。呼び込み音声再生部１３は、店舗の名称などをアナウンスする音声、ＣＭソングなどの音楽を再生する機能部である。合成部１４は、拡散変調されたＩＤコードと呼び込み音声を加算合成する機能部である。増幅器１５は合成部１４から入力された音声を適当な電力まで増幅してスピーカ１６に供給する。スピーカ１６は増幅器１５から入力された音声信号を音響として放音する。ここで、増幅器１５の出力電力は、この放音装置８のカバーエリアまで音響が到達し、それ以上のエリアへ音響が到達しないような出力電力に、設置場所の広さやノイズの程度に応じて適宜設定すればよい。
【００５２】
以上の実施形態において、スマートフォン２が本発明の携帯端末装置に対応する。ＩＤ解決サーバ４が本発明の識別情報解決サーバに対応する。ポータルＵＲＬが本発明の第１アドレス情報に対応する。目的のコンテンツに到達するＵＲＬが本発明の第２アドレス情報に対応する。コンテンツサーバ５のポータルＵＲＬまたはポータルサーバ７が本発明の振り分けサーバに対応する。なお、この実施形態において、携帯端末装置としてスマートフォン２を例示しているが、携帯端末装置はスマートフォン２に限定されない。
【００５３】
上述した各実施形態における携帯端末装置２の音響ＩＤ処理部２２は、制御部と音響ＩＤアプリケーションプログラムとの協働によって実現される機能部であり、この音響ＩＤアプリケーションプログラムは、コンピュータ読み取り可能な記録媒体に記録した状態で提供し得るものである。コンピュータ読み取り可能な記憶媒体としては、磁気記録媒体（磁気テープ、磁気ディスク（ＨＤＤ、ＦＤ）など）、光記録媒体（光ディスク（ＣＤ、ＤＶＤ）など）、光磁気記録媒体、半導体メモリなどを適用することが可能である。また、上記のプログラムは、インターネットのような情報通信ネットワーク経由でダウンロードさせることも可能である。
【符号の説明】
【００５４】
１  テレビ（放音装置）
２  スマートフォン（携帯端末装置）
３  情報通信ネットワーク
４  ＩＤ解決サーバ
５  コンテンツサーバ
６  顧客
８  放音装置
１６  スピーカ
４０  ＩＤ／ＵＲＬ対応テーブル
５０  ＩＤ／コンテンツ対応テーブル
【図１】
2012227909.tif 000003
【図２】
2012227909.tif 000004
【図３】
2012227909.tif 000005
【図４】
2012227909.tif 000006
【図５】
2012227909.tif 000007
【図６】
2012227909.tif 000008
【図７】
2012227909.tif 000009
【図８】
2012227909.tif 000010
【図９】
2012227909.tif 000011
【図１０】
2012227909.tif 000012